(57)【要約】【課題】羽釜の側壁上端部にＬ字形状の縁曲げがなくても、パッキンがズレることなく、シール性の高い炊飯器を提供する。【解決手段】内部に加熱手段４、５を有する本体１と、本体１の上部に開閉自在に設けられた蓋体３と、本体１内に出し入れ自在に収容され、加熱手段４、５により加熱される羽釜２０と、蓋体３の下面に、取り外し自在に装着された内蓋８と、内蓋８の外周縁部に設けられ、蓋体３により本体１の上部が閉じられたときに、羽釜２０内を羽釜２０の側面部の上端部とでシールするパッキン９とを備え、羽釜２０の側面部２１の上端部２３は、その上端部２３の外周縁部から内周縁部に向けて下方に傾斜する傾斜面２３ａが形成されている。【選択図】図１
2016112097.tif 000002
【特許請求の範囲】
【請求項１】
内部に加熱手段を有する本体と、
前記本体の上部に開閉自在に設けられた蓋体と、
前記本体内に出し入れ自在に収容され、前記加熱手段により加熱される羽釜と、
前記蓋体の下面に、取り外し自在に装着された内蓋と、
前記内蓋の外周縁部に設けられ、前記蓋体により前記本体の上部が閉じられたときに、前記羽釜内を当該羽釜の側面部の上端部とでシールするパッキンと
を備え、
前記羽釜の側面部の上端部は、当該上端部の外周縁部から内周縁部に向けて下方に傾斜する傾斜面が形成されていることを特徴とする炊飯器。
【請求項２】
前記羽釜の側面部の外周部に設けられた鍔部の外周縁部には、上方に突出するリング形状の突起部が設けられていることを特徴とする請求項１記載の炊飯器。
【発明の詳細な説明】
【技術分野】
【０００１】
本発明は、例えば羽釜で炊飯する炊飯器に関するものである。
【背景技術】
【０００２】
羽釜を備えた炊飯器として、本体に出し入れ自在に収容される羽釜の側面部の上側外周部に鍔部を設け、本体内の上部にヒーターと一体的に組み合わされた鍔部加熱部を設けたものがある。羽釜を本体内に収容した際に、鍔部が鍔部加熱部に当接して保持される（例えば、特許文献１参照）。
【先行技術文献】
【特許文献】
【０００３】
【特許文献１】特開２００２−６５４５７号公報（要約、図１）
【発明の概要】
【発明が解決しようとする課題】
【０００４】
従来の炊飯器の釜は、側面部の上端部が縁曲げとなっていて、この縁曲げの上面と本体の内蓋に設けられたパッキンとによってシールされるが、特許文献１に示されるような羽釜では、側面部の上端部に縁曲げがなく、パッキンとのシール面が狭くなっている。このため、側面部の上端部に対しパッキンがズレてシール性が良くなかった。また、パッキンに結露が付着した場合には、シール性が良くないため、水滴が羽釜の外周面に零れることがあった。
【０００５】
本発明は、前述のような課題を解決するためになされたもので、羽釜の側面部の上端部が縁曲げになっていなくても、パッキンがズレることなく、シール性の高い炊飯器を提供することを目的とする。
【課題を解決するための手段】
【０００６】
本発明に係る炊飯器は、内部に加熱手段を有する本体と、本体の上部に開閉自在に設けられた蓋体と、本体内に出し入れ自在に収容され、加熱手段により加熱される羽釜と、蓋体の下面に、取り外し自在に装着された内蓋と、内蓋の外周縁部に設けられ、蓋体により本体の上部が閉じられたときに、羽釜内を当該羽釜の側面部の上端部とでシールするパッキンとを備え、羽釜の側面部の上端部は、当該上端部の外周縁部から内周縁部に向けて下方に傾斜する傾斜面が形成されている。
【発明の効果】
【０００７】
本発明によれば、羽釜の側面部の上端部は、その上端部の外周縁部から内周縁部に向けて下方に傾斜する傾斜面が形成されている。この構成により、本体内に収容された羽釜を蓋体で閉じた際に、内蓋のパッキンは、羽釜の上端部に形成された傾斜面により、羽釜の内側が低く、外側が高くなった状態で押圧される。これにより、蓋体を閉じたときのパッキンの位置決めとなり、パッキンの羽釜内へのズレを防止できる。
【０００８】
また、蓋体を閉じた際に、内蓋のパッキンは、羽釜の側面部の上端部に形成された傾斜面により、羽釜の内側が低く、外側が高くなった状態で押圧されるので、パッキンのシール性が向上する。
【図面の簡単な説明】
【０００９】
【図１】本発明の実施の形態に係る炊飯器の縦断面図。
【図２】図１に示す羽釜の縦断面図。
【図３】図２の羽釜の鍔部の変形例を示す部分断面図。
【図４】図３の羽釜におけるパッキンの変形例を示す部分断面図。
【発明を実施するための形態】
【００１０】
以下、本発明に係る実施の形態について図面を用いて説明する。
図１は本発明の実施の形態に係る炊飯器の縦断面図、図２は図１に示す羽釜の縦断面図である。
図１、２において、本実施の形態における炊飯器の本体１は、内部に上枠２ａの開口部、側面放熱板２ｂ、コイル台２ｃ等で構成される有底筒状の保護枠２が設けられている。また、本体１の上部には、蓋体３が開閉自在に取り付けられている。保護枠２には、羽釜２０が出し入れ自在に収容される。側面放熱板２ｂには、外周側面に加熱手段である胴ヒーター４が巻き付けられている。コイル台２ｃは、下面に加熱手段である誘導加熱コイル５が配設されている。また、コイル台２ｃの中央部には、羽釜２０の底部の温度を検出する温度センサー６が取り付けられている。
【００１１】
胴ヒーター４は、炊飯時、保温時に通電される。誘導加熱コイル５は、通電により交番磁界を発生し羽釜２０を誘導加熱する。この誘導加熱コイル５の下側には、コイルから発生する電磁波の漏れを抑制するフェライト５ａが設置されている。温度センサー６には、例えばサーミスタが使用されている。
【００１２】
蓋体３は、本体１の後部に設けられたヒンジ部１０に開閉自在に取り付けられており、ラッチボタン３ａ、カートリッジ７、内蓋８、リング形状のパッキン９等を備えている。この蓋体３は、ラッチボタン３ａが下方へ押された際に、ヒンジ部１０のヒンジバネ１０ａの付勢力により、ヒンジ軸１０ｂを軸として本体１の後方へ開放される。
【００１３】
前述のラッチボタン３ａは、本体１を正面から見て、手前側の端部に設けられている。カートリッジ７は、蓋体３の上部に取り外し自在に装着されている。このカートリッジ７は、炊飯時に発生する蒸気を取り入れ、蒸気に含まれるおねばを分離して蓄積し、蒸気のみを外部へ排出し、蒸らし時に、蓄積したおねばを羽釜２０内のご飯に還元する。
【００１４】
内蓋８は、蓋体３の羽釜２０と対向する下面に、取り外し自在に装着されている。この内蓋８には、カートリッジ７と連通する蒸気抜け穴８ａが設けられている。パッキン９は、例えばシリコンゴムによりリング形状に形成され、内蓋８の下面の周縁部に装着されている。このパッキン９の断面形状は、内蓋８の周縁部から外側へ延びて、内側に折り返し折り曲げられた状態となっている。つまり、パッキン９の内周側が開放されたリング形状になっている。また、パッキン９の断面形状は、図１に示すように、内側に折り返し折り曲げられるときに、外側から内側に向けて低くなるように傾斜している。
【００１５】
本体１の前方の傾斜部には、表示窓を有する操作パネル１１が設けられている。本体１内の表示窓と対向する位置に液晶表示部１２が配置されている。この液晶表示部１２の下側には、操作パネル１１の操作に基づく信号を制御基板１４に入力する操作基板１３が設置されている。
【００１６】
羽釜２０は、例えば非金属である炭素材料（炭釜）により有底筒状に成型され、内面にはフッ素コーティングが施されている。羽釜２０の側面部２１の上端部２３より低い位置の外周部に、羽釜２０と一体に成型された鍔部２２が設けられている。この鍔部２２は、羽釜２０が保護枠２内に収容された際に、上枠２ａの上端部である釜受け部２ａａに引っ掛かるようになっている。この釜受け部２ａａは、上枠２ａの開口部の周方向に等間隔に複数設けられている。
【００１７】
鍔部２２が釜受け部２ａａに引っ掛かることにより、保護枠２内にて羽釜２０そのものが吊り下げられた状態になる。この場合、羽釜２０の底部が温度センサー６を押し下げる。また、鍔部２２は、羽釜２０の持ち運び用として使用される。羽釜２０の側面部２１の上端部２３は、その上端部２３の外周縁部から内周縁部に向かって下方に傾斜する傾斜面２３ａが形成されている。
【００１８】
前記のように構成された炊飯器において、羽釜２０を本体１の保護枠２内に入れて鍔部２２を上枠２ａの釜受け部２ａａに引っ掛けて蓋体３を閉じると、内蓋８の外周縁部に装着されたパッキン９は、羽釜２０の側面部２１の上端部２３に形成された傾斜面２３ａにより、下から押し上げられて潰れる。パッキン９の断面形状は、前述のように、外側から内側に向けて低くなるように傾斜しているので、羽釜２０の上端部２３の傾斜面２３ａと同じ方向に傾斜していて添うようになっている。よって、羽釜２０の上端部２３の傾斜面２３ａと添うように潰れたパッキン９は、羽釜２０の上端部２３の傾斜面２３ａと当接しシール状態となる。さらに、炊飯時には内釜の加熱により内圧が高まり、その内圧でパッキン９の外側から内側に向けて低くなるように傾斜している部分は、羽釜２０の上端部２３の傾斜面２３ａに圧接され羽釜２０内を確実にシール状態にする。
【００１９】
以上のように本実施の形態によれば、本体１の保護枠２内に収容された羽釜２０を蓋体３で閉じた際に、内蓋８のパッキン９は、羽釜２０の側面部２１の上端部２３に形成された傾斜面２３ａと同じ方向に傾斜していて添うようになっていることにより、羽釜２０の内側が低く、外側が高くなった状態となる。このように、蓋体３を閉じた際に、羽釜２０の側面部２１の上端部２３に形成された傾斜面２３ａがパッキン９の位置決めとなり、パッキン９の羽釜２０内へのズレを防止できる。
【００２０】
また、蓋体３を閉じた際に、内蓋８のパッキン９は、羽釜２０の側面部２１の上端部２３に形成された傾斜面２３ａと同じ方向に傾斜していて添うようになっていることにより、羽釜２０の上端部２３の傾斜面２３ａと当接しやすくなるので、パッキン９のシール性が向上する。
【００２１】
さらに、羽釜２０の側面部２１の上端部２３に傾斜面２３ａを設けているので、傾斜面２３ａに付着した水滴が羽釜２０の外側へと垂れることなく、羽釜２０内に流れる。これにより、本体１の上枠２ａの開口部周辺が、水滴によって汚れることがない。
【００２２】
次に、羽釜の変形例、及びこの羽釜におけるパッキンの変形例について図３及び図４を用いて説明する。
図３は図２の羽釜の鍔部の変形例を示す部分断面図、図４は図３の羽釜におけるパッキンの変形例を示す部分断面図である。なお、図２と同様の部分あるいは相当部分には同じ符号を付している。また、炊飯器として、図１に示す炊飯器が用いられる。
【００２３】
図３に示す羽釜２０の鍔部２２には、外周縁部に上方に突出するリング形状の突起部２２ａが設けられている。蓋体３を開けた際に、パッキン９から落下した水滴が羽釜２０の側面部２１の上端部２３から外側に垂れても、その水滴は、鍔部２２上に落下し、突起部２２ａにより堰き止められる。
【００２４】
この構成により、本体１の上枠２ａの開口部周辺に水滴が付着することがなくなり、本体１の汚れを防止できる。また、鍔部２２の外周縁部にリング形状の突起部２２ａを設けているので、炭素材料により成型された鍔部２２の強度が向上する。
【００２５】
なお、図３の羽釜２０に、図１に示すパッキン９を用いたことを述べたが、そのパッキン９に代えて、図４に示すパッキン３０でも良い。このパッキン３０は、羽釜２０の側面部２１の上端部２３に形成された傾斜面２３ａに当接する水平パッキン部３０ａと、水平パッキン部３０ａの内周縁部から下方に突出し、羽釜２０の側面部２１の上側内周部に嵌合する垂直パッキン部３０ｂとを備えている。
また、蓋シール方向に従って水平パッキン部３０ａが根元部から先端に向かって内釜２０上端の傾斜に近づくために、水平パッキン部３０ａの内釜シール面がパッキン形状の反発を利用した当接によってより強固にシールされる。
【００２６】
垂直パッキン部３０ｂの先端側は、羽釜２０の内側に曲げられている。これは、蓋体３を閉じた際に、垂直パッキン部３０ｂが羽釜２０の上端部２３の傾斜面２３ａに当たって、傾斜面２３ａ上で折れ曲がらないようにするためである。つまり、垂直パッキン部３０ｂの先端側の折れ曲がりにより、蓋体３が閉まらないということがないようにしている。
【００２７】
この場合も、蓋体３を開けた際に、パッキン３０から落下した水滴が羽釜２０の側面部２１の上端部２３から外側に垂れても、その水滴は、鍔部２２上に落下し、突起部２２ａにより堰き止められる。この構成により、本体１の上枠２ａの開口部周辺に水滴が付着することがなくなり、本体１の汚れを防止できる。
【００２８】
なお、実施の形態では、前述した羽釜２０をカートリッジ７を備えた炊飯器に用いたことを述べたが、この炊飯器に代えて、炊飯時に発生する水蒸気を回収する水タンクを備えた炊飯器に羽釜２０を用いても良い。
【符号の説明】
【００２９】
１  本体、２  保護枠、２ａ  上枠、２ａａ  釜受け部、２ｂ  側面放熱板、２ｃ  コイル台、３  蓋体、３ａ  ラッチボタン、４  胴ヒーター、５  誘導加熱コイル、５ａ  フェライト、６  温度センサー、７  カートリッジ、８  内蓋、８ａ  蒸気抜け穴、９  パッキン、１０  ヒンジ部、１０ａ  ヒンジバネ、１０ｂ  ヒンジ軸、１１  操作パネル、１２  液晶表示部、１３  操作基板、１４  制御基板、２０  羽釜、２１  側面部、２２  鍔部、２２ａ  突起部、２３  上端部、２３ａ  傾斜面、３０  パッキン、３０ａ  水平パッキン部、３０ｂ  垂直パッキン部。
【図１】
2016112097.tif 000003
【図２】
2016112097.tif 000004
【図３】
2016112097.tif 000005
【図４】
2016112097.tif 000006